【事件の表示】
　特願２００５−１１０７９４「情報安全ディジタル圧縮記憶装置」拒絶査定不服審判事件〔平成１８年　９月　７日出願公開、特開２００６−２３６５４５〕について、次のとおり審決する。
【結　論】
　本件審判の請求は、成り立たない。
【理　由】
１．手続の経緯、本願発明
　
　本願は、平成１７年４月７日（優先権主張平成１７年１月２７日、特願２００５−１９７１９号）の出願であって、平成２１年２月１３日付けの拒絶理由に対し、平成２１年４月１４日付けで手続補正がされたが、平成２１年９月２５日付けで拒絶査定されたところ、平成２１年１２月２４日に拒絶査定不服審判が請求されると同時に特許請求の範囲、明細書及び図面について手続補正がされたものである。
　その後、当審において、審査官が作成した前置報告書（特許法１６４条３項）を利用した審尋を行ったところ、平成２３年３月１１日付けで回答書の提出があった。
　
　そして、審判請求と同時にされた平成２１年１２月２４日付け手続補正による特許請求の範囲の記載は次のとおりである。
　
「【請求項１】
音、画像、文字、数字等の情報を符号化即ちディジタル化して、そのディジタル量、パルスをアナログ要素を持った、磁気ディスクなどに対してディジタル圧縮回路、即ちディジタル／アナログコンバーターにて一定の変則電圧パルス発生させアナログ／ディジタル合成パルスを作り、数字０，１，２，３，４，５，６，７，８の９種の電圧をパルス発生して、この変則電圧パルスを磁気ヘッドに巻かれたコイルに印加してアナログ要素をもった、磁気ディスクに記憶することと、更に、磁気ディスク等には磁気アームヘッドを複数にする事で複数チャンネルの読出し、書込み、消去が出来る事を特徴とする。
　　【請求項２】
請求項１と同様の効果としてディジタル圧縮する目的として、アナログ要素の効果の小さいものに対して、音、画像、文字、数字等の情報を符号化即ちディジタル化して、そのディジタル量、パルスをアナログ要素を持った、磁気ディスク記憶装置等に対してディジタル圧縮回路、ディジタル／アナログコンバーター回路にてアナログ／ディジタル合成信号にして９種の一定の電圧の１つは、０，１，２，３，４，５種更に２つ目で５，６，７，８の４種でも有りそして９種でも有る信号を２つに分けアナログ効果の小さいものに対して２つに分ける事により、分解能の小さい物に対して請求項１と同様にディジタル圧縮できるディジタル圧縮記憶装置。
　　【請求項３】
各種情報の処理を行う１個又は複数の各種情報処理装置と、ディジタル圧縮記憶装置から読出し、書込みが可能な複数の独立したディジタル圧縮記憶装置と、各種情報の読出し、書込みに用いる情報処理装置と各種情報の検索に用いる題名登録記憶装置等で構成し組合せ、独立したディジタル圧縮記憶装置、情報の転送に用いる、情報転送装置、書込み等に際して登録する題名登録記憶装置とを任意に増減することが可能に構成され、各種情報を一括管理することを特徴とするディジタル圧縮記憶装置。
　　【請求項４】
ディジタル圧縮記憶装置と情報制御装置に対して、各種情報処理装置からの読出し、書込みに際して各種暗証を認識、識別し暗証の異なるものに対してディジタル圧縮情報制御装置に接続等に対して、読出し、書込みを拒否し、暗証に該当するものに対して各種情報処理装置からのみディジタル圧縮記憶装置に接続、読出し、書込みを可能にする情報安全制御装置とディジタル圧縮記憶装置である。」
　
　ここにおいて、請求項１に記載された発明は、末尾が「特徴とする」であって、発明のカテゴリーが不明であるが、請求項２ないし４では末尾が「ディジタル圧縮記憶装置」と記載されていること、及び請求項２に「請求項１と同様」との記載が２度にわたってされていることを併せて考慮し、また、カテゴリーが「物」または「方法」のいずれかに限られることが自明であるから、請求項１に記載された発明は「ディジタル圧縮記憶装置」または「ディジタル圧縮記憶方法」に関するものであると解することができ、結局、請求項１に係る発明は、
「音、画像、文字、数字等の情報を符号化即ちディジタル化して、そのディジタル量、パルスをアナログ要素を持った、磁気ディスクなどに対してディジタル圧縮回路、即ちディジタル／アナログコンバーターにて一定の変則電圧パルス発生させアナログ／ディジタル合成パルスを作り、数字０，１，２，３，４，５，６，７，８の９種の電圧をパルス発生して、この変則電圧パルスを磁気ヘッドに巻かれたコイルに印加してアナログ要素をもった、磁気ディスクに記憶することと、更に、磁気ディスク等には磁気アームヘッドを複数にする事で複数チャンネルの読出し、書込み、消去が出来る事を特徴とする、
　ディジタル圧縮記憶装置（またはディジタル圧縮記憶方法）。」
と認め（以下、「本願発明」という。）、以下、検討する。
　
２．引用例
　これに対し、原査定の拒絶の理由に引用された、本願の優先権主張の日の前に頒布された刊行物である特開平５−２９８７７４号公報（以下、「引用例」という。）には、図面とともに以下の技術事項が記載されている。
　
（ａ）「【請求項１】  
外部磁界の作用下で光ビームをディスクに照射することにより該ディスクに信号化情報を記録する光磁気ディスク装置
　
（ｂ）「【０００１】
【産業上の利用分野】本発明は、外部磁界の作用下で光ビームをディスクに照射して情報を記録する光磁気ディスク装置に係り、特に、
記録密度を高める
　
（ｃ）「【０００４】そして、
画像データなどのような大容量の情報を記録するために、さらに、光磁気ディスク上の記録量を増大させること
【０００５】
【発明が解決しようとする課題】前述したような従来の磁界変調方式では、
記録される情報が１及び０の２値によって信号化されている
３値以上の多値により信号化されれば、その信号化情報を小さい領域で記録することができ、ディスクの記録密度を高めることができる
【０００６】本発明は、上記課題を解決するためになされたものであり、記録される情報を多値によって信号化することにより、ディスクに高密度な情報を記録することが可能な光磁気ディスク装置を提供することを目的とする。
【０００７】
【課題を解決するための手段】上記の目的を達成するために本発明は、外部磁界の作用下で光ビームをディスクに照射することにより該ディスクに信号化情報を記録する光磁気ディスク装置において、多値信号化情報に応じて前記外部磁界を多段階に変調させる多段階変調手段を備え、この多段階変調手段により多段階に変調された磁界を該ディスクに印加しつつ前記光ビームを該ディスクに照射して前記多値信号化情報を該ディスクに記録するようにしたものである。」
（ｄ）「【０００９】
【実施例】以下に、本発明の一実施例について図面を参照しながら説明する。図１は、本実施例による光磁気ディスク装置の記録／再生部の概略構成図である。同図において、基板層１ａ、記録膜１ｂ、及び保護層１ｃとから構成されたディスク１が、図示しないスピンドルモータ等の回転機構により、ａ−ａ´線を中心軸として回転される。そのディスク１の下方には、前記記録膜１ｂに光ビーム２を照射するための光学ヘッド（光ピックアップ）２０が配設されている。さらに、ディスク１を挟んで、その光学ヘッド２０と対向する位置に、前記記録膜１ｂを磁化するための磁界３を発生させる磁気ヘッド３０が設けられている。この磁気ヘッド３０は、コア３０１とコイル３０２とから構成され、さらに、そのコイル３０２には、後述する多値記録信号に応じて通電する磁界変調回路（電流発生器）４０が接続されている。
【００１０】一方、光学ヘッド２０は、ピックアップレンズ２０１や集光レンズ２０２，２０３、シリンドリカルレンズ２０４、コリメータレンズ２０５等のレンズ類と、ハーフミラー２１２、１／２波長板２１３、偏光ビームスプリッタ２１４、半導体レーザ２１５、及び、受光素子２１６，２１７などの光学系部材を備え、さらに、受光素子２１６，２１７に接続されて外部に再生信号を出力する差動増幅器２２１や、前記ピックアップレンズ２０１を微小駆動するレンズ駆動回路２２２を有している。
【００１１】上記の構成による、情報の記録動作について説明する。本実施例では、
ディスク１に記録される情報が、図示しない記録信号生成器によって０，１，２，３，４の５つの値からなる多値記録信号に変換される。そして、この多値記録信号が、磁界変調回路４０に入力されると、その磁界変調回路４０が、信号に応じてコイル３０２への通電方向及び通電量を切り換える。このように通電方向及び通電量が制御されることにより、磁気ヘッド３０から発生される外部磁界３が変調、すなわち、ディスク１に印加される磁界の向きが図の上もしくは下方向に変更されるとともに、磁界の強度が変えられる。この変調磁界３の作用下において、後述するように光ビーム２が記録膜１ｂに照射されることにより、前記の多値記録信号の０及至４のそれぞれの値に対応して記録膜が磁化され、情報が記録もしくはオーバーライトされる
【００１２】一方、光学ヘッド２０においては、前記半導体レーザ２１５から発せられた光ビーム２が、コリメータレンズ２０５により筒状の平行ビームに整形された後、ハーフミラー２１２をそのまま透過し、ピックアップレンズ２０１によりディスク１の記録膜１ｂ上にスポット状に集光される。記録膜１ｂの光ビーム２を照射された箇所（以下、記録箇所）は、キュリー温度以上になるように熱せられることにより、その箇所の保磁力が零にされる。このとき、記録膜１ｂには、前述したように磁気ヘッド３０から発生された外部磁界３が作用されており、その外部磁界３を作用させたまま、記録膜１ｂの温度を下げることにより、記録箇所が多値記録信号に応じた磁界方向及び磁界強度で磁化される。
【００１３】また、ディスク１に記録された情報の再生については、上記記録時よりも弱い光パワーを有する光ビーム２が半導体レーザ２１５から発せられ、その光ビーム２が、記録時と同様に、コリメータレンズ２０５によって整形されてレンズ２０１によって記録膜１ｂ上に集光される。そして、記録膜１ｂ上で、光ビーム２が反射され、光学ヘッド２０の内部に戻り、ハーフミラー２１２、１／２波長板２１３を経て、偏光ビームスプリッタ２１４よって受光素子２１６，２１７へと導かれる。そして、受光素子２１６，２１７の出力を差動増幅器２２１に通すことにより、再生信号が出力される。なお、情報の再生時には、磁界３は発生させず光学ヘッド２０から光ビーム２を投光し、記録膜１ｂに反射された反射ビームを受光することにより、記録膜１ｂ上の記録磁区を光学的に読み取って、情報すなわち多値信号が再生される。
【００１４】図２は、上記記録／再生部における各種の信号を示したものであり、（ａ）は磁界変調回路４０に入力される記録信号、（ｂ）は磁気ヘッド３０からディスク１に印加される磁界、（ｃ）は光学ヘッド２０の光ビームの記録パワー（光パワー）、（ｄ）はディスクに記録された情報を読み取って再生した再生信号の波形を、それぞれ示したものである。
【００１５】同図（ａ）に示すような
０，１，２，３，４の５つの値からなる多値記録信号が磁界変調回路４０に入力されると、その多値記録信号に対応した電流がコイル３０２に通電されることにより、同図（ｂ）に示すような磁界３が磁気ヘッド３０からディスク１に印加される
　
（ｅ）「【００１７】以上に説明したように、本実施例によれば、ディスクに記録する情報を０及至４の５値からなる多値信号化情報に変換しているため、従来のように２値の記録信号によって記録する装置に比べて情報の冗長化が軽減され、ディスクに高密度な情報を記録することができる。また、本発明は上記実施例のように５値の信号を用いるものに限らず、それぞれの信号に対応する磁界強度の差を小さくし、さらに多くの値からなる信号化情報を記録するよう構成すれば、ディスクの記録容量をさらに増大させることが可能である。なお、記録膜のヒステリシス特性があるために、外部磁界相互の強度の差を前記図３に示したＨ limit以下にすることはできない。
【００１８】
【発明の効果】以上のように本発明によれば、ディスクに記録する情報を、多値によって信号化し、その多値信号化情報に応じて、ディスクに印加する外部磁界を多段階に変調して情報を記録するので、記録情報の冗長化が軽減され、ディスクに対して高密度に情報を記録することができ、ディスクの記録容量が増大する。そして、高密度記録が実現したことにより、記録箇所へのアクセス速度も速めることができ、装置の操作性の向上が図れる。」
　上記記載事項及び図面を総合勘案すると、上記引用例には、次の発明（以下、「引用発明」という。）が記載されている。
　
「外部磁界の作用下で光ビームをディスクに照射することにより該ディスクに信号化情報を記録する光磁気ディスク装置／情報記録方法において、
　画像データなどのような大容量の情報を記録するために、記録される情報が１及び０の２値によって信号化されているところを、３値以上の多値により信号化することで、ディスクの記録密度を高め、光磁気ディスク上の記録量を増大させるものであって、
　ディスクに記録される情報が、記録信号生成器によって０，１，２，３，４の５つの値からなる多値記録信号に変換され、この多値記録信号に応じて磁界変調回路がコイルへの通電方向及び通電量を切り換え、磁気ヘッドから発生される外部磁界が変調され、ディスクに印加される磁界の向き及び強度が変えられ、この変調磁界の作用下において、光ビームが記録膜に照射されることにより、前記の多値記録信号の０ないし４のそれぞれの値に対応して記録膜が磁化され、情報が記録もしくはオーバーライトされる、
　光磁気ディスク装置／情報記録方法。」
　
３．対　比
　本願発明と引用発明とを対比する。
　引用発明における「画像データなどのような大容量の情報を記録するために、記録される情報が１及び０の２値によって信号化されている」は、本願発明における「音、画像、文字、数字等の情報を符号化即ちディジタル化して」に相当する。
　引用発明における「３値以上の多値により信号化する」「ディスクに記録される情報が、記録信号生成器によって０，１，２，３，４の５つの値からなる多値記録信号に変換され」は、本願発明における「そのディジタル量、パルスをアナログ要素を持った」「ディスクなどに対してディジタル圧縮回路」「にて一定の変則電圧パルス発生させアナログ／ディジタル合成パルスを作り、数字０，１，２，３，４の電圧をパルス発生して」に相当する。
　引用発明における「この多値記録信号に応じて磁界変調回路がコイルへの通電方向及び通電量を切り換え、磁気ヘッドから発生される外部磁界が変調され、ディスクに印加される磁界の向き及び強度が変えられ、この変調磁界の作用下において、光ビームが記録膜に照射されることにより、前記の多値記録信号の０ないし４のそれぞれの値に対応して記録膜が磁化され、情報が記録もしくはオーバーライトされる」は、本願発明における「この変則電圧パルスを磁気ヘッドに巻かれたコイルに印加してアナログ要素をもった」「ディスクに記憶することが出来る」に相当する。
　引用発明における「光磁気ディスク装置／情報記録方法」は、本願発明における「ディジタル圧縮記憶装置（またはディジタル圧縮記憶方法）」に相当する。
　
　そうすると、本願発明と引用発明とは次の点で一致する。
　<一致点>
「　音、画像、文字、数字等の情報を符号化即ちディジタル化して、そのディジタル量、パルスをアナログ要素を持った、ディスクなどに対してディジタル圧縮回路にて一定の変則電圧パルス発生させアナログ／ディジタル合成パルスを作り、数字０，１，２，３，４の電圧をパルス発生して、この変則電圧パルスを磁気ヘッドに巻かれたコイルに印加してアナログ要素をもった、ディスクに記憶することと、読出し、書込み、消去が出来る
　ディジタル圧縮記憶装置（またはディジタル圧縮記憶方法）。」
　
　一方、次の各相違点で相違する。
（相違点１）
　本願発明においては、「磁気ディスクなど」「磁気ディスク」「磁気ディスク等」を対象とするのに対し、引用発明が「光磁気ディスク」を対象としている点。
　
（相違点２）
　本願発明では「ディジタル圧縮回路、即ちディジタル／アナログコンバーター」との特定があるが、引用例では、「記録信号生成器」が、「即ちディジタル／アナログコンバーター」であるとの特定がない点。
　
（相違点３）
　本願発明においては、「数字０，１，２，３，４，５，６，７，８の９種の電圧」を発生するのに対し、引用発明においては、「０，１，２，３，４の５つの値からなる多値記録信号」である点。
　
（相違点４）
　本願発明においては、「磁気アームヘッドを複数にする事で複数チャンネルの読出し、書込み、消去が出来る」のに対し、引用発明においては、磁気ヘッドを複数にすることが特定されていない点。
　
４．判　断
　上記各相違点について検討する。
（相違点１について）
　引用発明においては、光磁気ディスクに対する記録に磁気ヘッドを用いるもので、磁界変調方式すなわち「磁気ヘッドから発生される外部磁界が変調され、ディスクに印加される磁界の向き及び強度が変えられ」、変調磁界の作用下において、光ビームが記録膜に照射されることにより、「記録膜が磁化され、情報が記録もしくはオーバーライトされる」装置／方法であるから、磁気ヘッドから発生される変調磁界により記録する記録媒体として光磁気ディスクと同様に周知の記録媒体であって、磁気ヘッドを用いて記録する磁気ディスクに対する記録装置／方法とすることは、当業者が容易に想到しうることである。
　
（相違点２について）
　引用発明においても、０と１の２値のデータを０から４の５種類の多値記録信号とするために通電方向及び通電量を制御することで、少なくとも５種類の磁界の向き及び強度というアナログ的な値により光磁気ディスクに記録するものであるから、前記０と１の２値のデータ、すなわちディジタル値を、５段階のアナログ的な量に変換しているものということができ、その意味では、引用発明においても、「記録信号生成器」が「ディジタル／アナログコンバーター」を備えていることは自明ということができるか、又は生成すべき信号が多値、すなわち５段階のアナログ的なデータであることから「記録信号生成器」に「ディジタル／アナログコンバーター」を設けることは当業者が容易に想到しうることである。
　なお、例えば、参考文献として提示する特開昭６１−２１２１２１号公報には、３ビットデータの４種類を使用して多値データとして記録するデジタルデータ記録装置において、その記録系にＤ／Ａ変換器２６を設け、３ビットデータをアナログ化して記録することが記載されている。
　
（相違点３について）
　引用例には、上記（ｅ）に摘記した段落【００１７】に、
「また、本発明は上記実施例のように５値の信号を用いるものに限らず、それぞれの信号に対応する磁界強度の差を小さくし、さらに多くの値からなる信号化情報を記録するよう構成すれば、ディスクの記録容量をさらに増大させることが可能である。」
と記載されてているように、引用例自体に、記録信号の値の種類が５種類に限定されるものではないこと、換言すると、５種類以外の種類とすることも可能であることが示唆されている。
　一方で、本願発明につい、発明の詳細な説明を参照しても、９種類の信号とすることによる格別な効果を認めることができない。
　前記参考文献として提示した特開昭６１−２１２１２１号公報には、
「例えば８ビットのデータを２ビットずつに４分割し、この２ビットを量子化レベル０〜３の４値のいずれかのレベルを持つデジタル多値データに変換し、２値データの時と等しい時間幅の区間に記録すれば記録密度を２倍にすることができ、２値データの時と等しい時間間隔で上記デジタル多値データを送出すれば伝送速度を２倍とすることができる。同様に８ビットデータを４ビットずつに２分割することにより、記録密度、伝送速度を４倍にすることができる。しかし、この場合には、１６値のレベルを記録信号が持つことになり、再生時のレベル判別が困難になる。実際的には、デジタル多値データは８値（３ビット）程度までが妥当である。」
と記載されるように、理論上は、多値データをいくつに分割するか、は適宜選択しうるもので、記録されたデータをいかに判別するか、という実際上の問題との兼ね合いで制約があるにすぎないものである。
　以上のとおりであるから、本願発明において、９種の電圧を発生させることとした点は、電圧の種類が増えることで記録が、より高密度化（あるいは圧縮）されるという、自明の効果（しかしながら、再生時にどの程度良好にレベル判別ができるか、などの実際上の問題については特段の技術事項が特定されているわけでもない）以外に格別な技術的意義を見出すことができないものであって、当業者が適宜設定しうる事項にすぎないものである。
　
（相違点４について）
　磁気アームヘッドを複数設けることで複数チャンネルの読出し、書込み、消去が出来るようにすることは、磁気ディスク装置において周知の事項であって、拒絶理由通知で示した特開２００１−２１６６０５号公報（明細書段落【０１０１】【０１０２】、図１３参照）には、ＶＣ３ａ，３ｂに駆動されるアームに設けられた磁気アームヘッドといえる磁気ヘッド４ａ，４ｂを備え、それぞれの磁気ヘッドに対応してリード回路１５ａ、１６ａ、と１５ｂ、１６ｂとが設けられているので、磁気アームヘッドを複数設けることで複数チャンネルの読出し、書込み、消去が出来るようにした磁気ディスク装置が記載されている。他にも、例えば特開平８−１２４３３４号公報には、４本のヘッドアームを備えた磁気ディスク装置が記載されている（明細書【００１６】〜【００２１】段落、図４，図８参照）。　
　引用例においても、このような周知技術を採用してヘッドを複数設けることにより複数のチャンネルで記録再生できるようにすることは当業者が容易に想到しうることである。
　
　そして、上記各相違点を総合的に判断しても、本願発明が奏する効果は、引用例に記載された発明及び周知技術から、当業者が十分に予測できたものであって、格別なものとはいえない。
　
５．むすび
　以上のとおりであって、本願の請求項１に係る発明は、引用例に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。